(57)【特許請求の範囲】
【請求項１】
電気接続部（２１）を備えた本体部（２０）を有する電気コネクタ（１０）において、
この本体部（２０）が、第一の側面（２３）と第二の側面（２４）を有し、これらの電気接続部（２１）が、第一の側面（２３）からは延びているが、第二の側面（２４）からは延びておらず、
この本体部（２０）が、二つの対称的な構成部分（２６）を有し、
各構成部分（２６）が、同じ数の電気接続部（２１）を有し、
各電気接続部（２１）が、対称的に本体部（２０）と接続された複数の部品（２８）から構成され、
各構成部分（２６）が支持部を接続するための台座（３３）を有し、各台座（３３）が、台座（３３）の内部と外部を接続する少なくとも一つの冷却孔（３４）を有することを特徴とする電気コネクタ。
【請求項２】
請求項１に記載の電気コネクタ（１０）において、
電気接続部（２１）が、本体部（２０）の縦軸（４３）に関して対称的に本体部（２０）の各構成部分（２６）と接続されていることを特徴とする電気コネクタ。
【請求項３】
請求項１に記載の電気コネクタ（１０）において、
本体部（２０）の各構成部分（２６）が、互いに逆側の表面（４０，４１）を有し、各電気接続部（２１）の構成部品（２８）が、それぞれ二つの互いに逆側の表面（４０，４１）の中の一方と接続されていることを特徴とする電気コネクタ。
【請求項４】
請求項３に記載の電気コネクタ（１０）において、
各電気接続部（２１）の構成部品（２８）が、重なり合った領域（４２）で接続されていることを特徴とする電気コネクタ。
【請求項５】
請求項１に記載の電気コネクタ（１０）において、
本体部（２０）の第二の側面（２４）が、その第一の側面（２３）と逆側に有ることを特徴とする電気コネクタ。
【請求項６】
ステータ（２）とロータ（３）を格納する筐体（４）を備えた電気機械（１）であって、この筐体（４）が、筐体を貫通して筐体の内部（１５）と外部（１６）を接続するブッシング（７）を有し、各ブッシング（７）が電気コネクタ（１０）と接続され、その電気コネクタがステータ巻線（５）と接続されており、各電気コネクタ（１０）が電気接続部（２１）を備えた本体部（２０）を有する電気機械（１）において、
この本体部（２０）が、第一の側面（２３）と第二の側面（２４）を有し、これらの電気接続部（２１）が、第一の側面（２３）からは延びているが、第二の側面（２４）からは延びておらず、
この本体部（２０）が、二つの対称的な構成部分（２６）を有し、
各構成部分（２６）が、同じ数の電気接続部（２１）を有し、
各電気接続部（２１）が、対称的に本体部（２０）と接続された複数の部品（２８）から構成され、
各構成部分（２６）がブッシング（７）を接続するための台座（３３）を有し、各台座（３３）が、台座（３３）の内部と外部を接続する少なくとも一つの冷却孔（３４）を有することを特徴とする電気機械。
【請求項７】
請求項６に記載の電気機械（１）において、
ブッシング（７）が、冷却媒体のための入口部分（４６）と出口部分（４７）を備えた冷却通路（４５）を有し、
台座（３３）が、各台座（３３）の内部と外部を接続する冷却孔（３４）を有し、
台座（３３）の冷却孔（３４）がブッシングの冷却通路（４５）の出口部分（４７）と接続されている、
ことを特徴とする電気機械。
【請求項８】
請求項７に記載の電気機械（１）において、
冷却孔（３４）が、ブッシングの冷却通路（４５）の出口部分（４７）と直接接続されていることを特徴とする電気機械。
【請求項９】
請求項６に記載の電気機械（１）において、
本体部（２０）の第二の側面（２４）が、その第一の側面（２３）と逆側に有ることを特徴とする電気機械。
【発明の詳細な説明】
【技術分野】
【０００１】
本発明は、電気コネクタ、特に、電気発電機などの電気機械（特に、高電力、高電圧の電気機械）で使用するために構成された電気コネクタに関する。そのような電気機械は、例えば、同期ターボ発電機（即ち、ガス又は蒸気タービンと接続するために構成された発電機）とすることができる。
【背景技術】
【０００２】
図１２を参照すると、電気機械１は、ステータ２とロータ３を有し、これらの両方は筐体４内に格納されている。
【０００３】
このステータ２は、筐体４に挿入されているブッシング７と接続された巻線５を有する。
【０００４】
これらの巻線５は、位相リング８と電気コネクタ１０を介してブッシング７と接続されている。
【０００５】
従来の電気コネクタ１０は、環状の本体部を有し、（巻線用の）電気接続部が、その本体部の周囲全体から対称的に突き出ている。
【０００６】
これらのコネクタは、使用中には効果的であることが分かっていた。
【０００７】
それにも関わらず、新しい電気機械は、古い電気機械と比べて、高い電力と高い電圧を有し、そのため、電気間隔（即ち、異なる電圧を有する構成部品の間の最小間隔）を増大しなければならない。
【０００８】
この問題は、電気コネクタの回りの領域で使用可能なスペースが限られているために、電気コネクタにとって非常に厄介な問題であることが分かっていた。
【０００９】
図１２に図示されている通り、筐体は、ステータ２とロータ３を格納する中央筐体４ａと、その両端に接続された二つの端部筐体４ｂとから構成され、これらの端部筐体４ｂの中の一方が、位相リング８とブッシング７を格納している。
【００１０】
これらの中央筐体４ａと端部筐体４ｂは、通常は電気コネクタ１０に近い壁面１２によって分離されている。
【００１１】
電気機械の電圧（及び電力）を増大させようとすると、多くの場合これらの周知の電気コネクタ１０と壁面１２が、それらの間の増大された電気間隔を満たすようにすることが厄介である。
【先行技術文献】
【特許文献】
【００１２】
【特許文献１】米国特許公開第５，７３６，６７０号明細書
【特許文献２】米国特許第６，９４８，９３９号明細書
【特許文献３】米国特許第６，６４９，８２６号明細書
【発明の概要】
【発明が解決しようとする課題】
【００１３】
以上のことから、本発明の課題は、電気コネクタと壁面の間の増大された電気間隔を満たすことができる電気コネクタ及びその電気コネクタを備えた電気機械を提供することである。
【課題を解決するための手段】
【００１４】
本課題は、特許請求の範囲に記載された電気コネクタ及びその電気コネクタを備えた電気機械によって実現される。
【００１５】
本発明は、電気接続部を備えた本体部を有する電気コネクタであって、この本体部が、第一の側面と第二の側面を有し、これらの電気接続部が、第一の側面からは延びているが、第二の側面からは延びておらず、この本体部が、二つの対称的な構成部分を有し、各構成部分が、同じ数の電気接続部を有し、各電気接続部が、対称的に本体部と接続された複数の部品から構成されていることを特徴とする電気コネクタである。
【００１６】
本発明による電気コネクタの有利な実施形態では、各構成部分が支持部を接続するための台座を有する。
【００１７】
本発明による電気コネクタの有利な実施形態では、各台座が台座の内部と外部を接続する少なくとも一つの冷却孔を有する。
【００１８】
本発明による電気コネクタの有利な実施形態では、電気接続部が、本体部の縦軸に関して対称的に本体部の各構成部分と接続されている。
【００１９】
本発明による電気コネクタの有利な実施形態では、本体部の各構成部分が、互いに逆側の表面を有し、各電気接続部の構成部品が、それぞれ二つの互いに逆側の表面の中の一方と接続されている。
【００２０】
本発明による電気コネクタの有利な実施形態では、各電気接続部の構成部品が、重なり合った領域で接続されている。
【００２１】
本発明による電気コネクタの有利な実施形態では、本体部の第二の側面が、その第一の側面と逆側に有る。
【００２２】
更に、本発明は、ステータとロータを格納する筐体を備えた電気機械であって、この筐体が、筐体を貫通して筐体の内部と外部を接続するブッシングを有し、各ブッシングが電気コネクタと接続され、その電気コネクタがステータ巻線と接続されており、各電気コネクタが電気接続部を備えた本体部を有する電気機械において、この本体部が、第一の側面と第二の側面を有し、これらの電気接続部が、第一の側面からは延びているが、第二の側面からは延びておらず、この本体部が、二つの対称的な構成部分を有し、各構成部分が、同じ数の電気接続部を有し、各電気接続部が、対称的に本体部と接続された複数の部品から構成されていることを特徴とする電気機械である。
【００２３】
本発明による電気機械の有利な実施形態では、各構成部分がブッシングを接続するための台座を有する。
【００２４】
本発明による電気機械の有利な実施形態では、各台座が、台座の内部と外部を接続する少なくとも一つの冷却孔を有する。
【００２５】
本発明による電気機械の有利な実施形態では、ブッシングが、冷却媒体のための入口部分と出口部分を備えた冷却通路を有し、台座が、各台座の内部と外部を接続する冷却孔を有し、台座の冷却孔）がブッシングの冷却通路の出口部分と接続されている。
【００２６】
本発明による電気機械の有利な実施形態では、冷却孔が、ブッシングの冷却通路の出口部分と直接接続されている。
【００２７】
本発明による電気機械の有利な実施形態では、本体部の第二の側面が、その第一の側面と逆側に有る。
【００２８】
本発明の更に別の特徴及び利点は、添付図面に本発明を制限しない実施例として図示された電気コネクタの好ましいが本発明を制限しない実施形態の記述から明らかとなる。
【図面の簡単な説明】
【００２９】
【図１】電気コネクタと接続された位相リングの模式図
【図２】ブッシングと接続された電気コネクタの図
【図３】本発明の一つの実施形態によるコネクタの斜視図
【図４】本発明の一つの実施形態によるコネクタの平面図
【図５】本発明の一つの実施形態によるコネクタの分解図
【図６】本発明の一つの実施形態によるコネクタの側面図
【図７】図５の断面線ＶＩＩ−ＶＩＩに沿った断面図
【図８】図５の断面線ＶＩＩＩ−ＶＩＩＩに沿った断面図
【図９】図５の断面線ＩＸ−ＩＸに沿った断面図
【図１０】図５の断面線Ｘ−Ｘに沿った断面図
【図１１】電気コネクタの本体部の平面図
【図１２】電気機械の一部の模式図
【発明を実施するための形態】
【００３０】
以下において、同期発電機などの回転式電気機械を参照するが、電気機械を非同期発電機、電気モータなどの様々な回転式電気機械とすることもできる。
【００３１】
更に、同じ又は同様の構成部分に対しては、前記の既に使用した番号を参照する。
【００３２】
電気機械１は、ステータ２とロータ３を格納する筐体４を有する。この筐体４は、筐体を貫通して筐体４の内部１５と外部１６を接続するブッシング７を有する。
【００３３】
各ブッシング７は、電気コネクタ１０と接続され、その電気コネクタは、ステータ巻線５と接続されている。
【００３４】
電気コネクタ１０は、電気接続部２１を備えた本体部２０を有する。
【００３５】
この本体部２０は、第一の側面２３と、好ましくは第一の側面２３と逆側の第二の側面２４とを有する。電気接続部２１は、第一の側面２３からは延びているが、第二の側面２４からは延びていない。
【００３６】
この本体部２０は、二つの対称的な構成部分２６を有し（これらは、好ましくは同形態である）、各構成部分２６は、同じ数の電気接続部２１を有する（例えば、添付図面では、各構成部分２６は三つの電気接続部２１を有する）。
【００３７】
各電気接続部２１は、複数の構成部品２８で構成され（図６に図示された実施例では、その数は２である）、これらの構成部品２８は、本体部２０と対称的に接続されている（例えば、縦方向の面２９に関して対称的である）。
【００３８】
有利には、前述した対称性は、電力の伝送を改善するとともに、電気損失とそのため発熱を低減する。
【００３９】
各電気接続部２１の構成部品２８は、好ましくは同形態である。
【００４０】
本体部２０の各構成部分は、互いに逆側の表面４０，４１を有し、各電気接続部２１の構成部品２８は、それぞれ二つの互いに逆側の表面の中の一方４０又は４１と接続されている。
【００４１】
特に、構成部品２８は、重なり合った領域４２で接続されている。
【００４２】
各構成部品は、一つの構成部分２６及び一つの位相リング８と接続された二つのプレート３０を有し、これらの二つのプレート３０は、（場合によっては起こる不整合を調整するための）柔軟な構成部分３１によって互いに接続されている。
【００４３】
各構成部分２６は、支持部を接続するための台座３３を有し（この支持部はブッシング７の一部である）、この台座３３は、台座３３の内部と外部を接続する冷却孔３４を備えることができる。
【００４４】
一つの実施形態では、各構成部分２６は、ボルトにより電気接続部２１を接続するための孔３７の開いたプレート３６を有し、このプレート３６は、台座３３を備えたブロック３８と接続されており、このブロック３８からは、突出部３９が延びている。これらの冷却孔３４は、ブロック３８と突出部３９を貫通して配備されている。
【００４５】
電気接続部２１は、本体部２０の縦軸４３に関して対称的に本体部２０の各構成部分２６と接続されており、例えば、この縦軸４３は、本体部２０の対称軸である。
【００４６】
図１を特に参照すると、ブッシング７は、冷却通路４５（即ち、冷却媒体を通すための通路）を有し、この冷却通路４５は、冷却媒体のための入口部分４６と出口部分４７を有する。
【００４７】
有利には、台座３３の冷却孔３４は、ブッシングの冷却通路４５の出口部分４７と接続されている。それにより、本体部２０を大きく冷却することが可能である。
【００４８】
特に、冷却孔３４は、ブッシングの冷却通路４５の出口部分４７と直接接続することができる（即ち、それらの間には、それ以外の構成部品が配備されない）。
【００４９】
この電気コネクタ１０（即ち、その全ての構成部分と構成部品）は、金属などの導電性の材料から構成され、例えば、銅、アルミニウム又はそれらを組み合わせたものを使用することができる。
【００５０】
この電気コネクタの動作は、主として次の通りである。
【００５１】
位相リング８は、電気機械１内において、圧力の低い別の領域ＬＰと比べて圧力が高い領域ＨＰに格納されている。
【００５２】
この位相リング８は、巻線５から電気コネクタ１０に電力を伝送し、電気コネクタは、ブッシング７に電力を伝送する。従って、電力は、ブッシング７を介して筐体４の外部１６に供給される。
【００５３】
この領域ＨＰには、ブッシング７が格納されている（その一部が筐体４から突き出ているので、部分的に格納されており、入口部分４６が、この領域ＨＰで開いている）。
【００５４】
冷却媒体は、入口部分４６を介してブッシングの冷却通路４５に入って、その冷却通路を貫流した後、冷却媒体は、電気コネクタ１０の本体部２０も冷却するために、出口部分４７から台座３３の孔３４を通る。これらの孔３４は、テフロン製パイプ５０と接続されており、これらのパイプは、領域ＬＰと接続されている。領域ＨＰと領域ＬＰ間の圧力差によって、冷却媒体を循環させることが可能である。
【００５５】
電気接続部２１が、電気コネクタ１０の少なくとも一つの側面から延びていない（特に、本体部２０の側面２４からは、電気接続部２１が延びていない）ので、その側面２４が壁面１２に面するように（並びに側面２３又は場合によっては、電気接続部２１を備えたそれ以外の側面が壁面１２と逆側に面するように）、コネクタ１０を配置することが可能である。このようにして、電気接続部２１が壁面１２と逆側に面するとともに、低減されたスペース内でも大きな電気間隔を満たすように、コネクタ１０を配置することができる。
【００５６】
当然のことながら、前述した特徴は、互いに独立して備えることができる。
【００５７】
実際には、使用する材料と寸法は、要件と技術水準に応じて、任意に選定することができる。
【符号の説明】
【００５８】
１    電気機械
２    ステータ
３    ロータ
４    筐体
４ａ  中央筐体
４ｂ  端部筐体
５    巻線
７    ブッシング
８    位相リング
１０    電気コネクタ
１２    壁面
１５    筐体４の内部
１６    筐体４の外部
２０    電気コネクタ１０の本体部
２１    電気コネクタ１０の電気接続部
２３    本体部２０の第一の側面
２４    本体部２０の第二の側面
２６    本体部２０の構成部分
２８    電気接続部２１の構成部品
２９    本体部２０の縦方向の面
３０    構成部品２８のプレート
３１    構成部品２８の柔軟な構成部分
３３    構成部分２６の台座
３４    台座３３の冷却孔
３６    構成部分２６のプレート
３７    プレート３６の孔
３８    構成部分２６のブロック
３９    構成部分２６の突出部
４０    構成部分２６の表面
４１    構成部分２６の表面
４２    重なり合った領域
４３    本体部２０の縦方向の対称軸
４５    ブッシング７の冷却通路
４６    冷却通路４５の入口部分
４７    冷却通路４５の出口部分
５０    テフロン製パイプ
【図１】
0005840583.tif 000002
【図２】
0005840583.tif 000003
【図３】
0005840583.tif 000004
【図４】
0005840583.tif 000005
【図５】
0005840583.tif 000006
【図６】
0005840583.tif 000007
【図７】
0005840583.tif 000008
【図８】
0005840583.tif 000009
【図９】
0005840583.tif 000010
【図１０】
0005840583.tif 000011
【図１１】
0005840583.tif 000012
【図１２】
0005840583.tif 000013